【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
いくつもの複数の薬剤のグループを検査するための方法であって、各グループはパックの中に入れられ、複数のパックは患者に特有のストリングを提供するように接続されており、患者データが各々のパックに準備されており、前記方法は、
患者データと薬剤データとを供給することと
前記複数の薬剤をカメラを通過するように搬送することと、
前記カメラにより光学的にこれら薬剤を走査することであって、前記カメラは、前記複数のパックと、このパックの中の複数の薬剤のグループを検査し、
前記走査された複数の薬剤と前記供給されたデータとを比較することと、
前記検査に基づいて前記複数の薬剤を許可又は拒絶することと、
を具備し、
前記複数の薬剤に関するデータをメモリに記憶し、前記患者データと前記複数の薬剤のグループをその中に有する複数のパックとの前記走査された画像が、前記メモリに入力され、検査の時点で各々のパックの状態の証拠が提供される、いくつもの複数の薬剤のグループを検査するための方法
【請求項２】
前記薬剤を走査することは、薬剤の数を走査することを含んでいる請求項１に係る方法。
【請求項３】
前記薬剤を走査することは、前記薬剤の形状並びに／もしくは色を走査することを含んでいる請求項１又は２に係る方法。
【請求項４】
前記薬剤の数と、薬剤の形状との両方が、比較のために用いられる請求項１乃至３のいずれか１項に係る方法。
【請求項５】
前記許可と拒絶とは、有色のマーキングの適用を含んでいる請求項１乃至４のいずれか１項に係る方法。
【請求項６】
前記患者データは、各パックに与えられている請求項１乃至５のいずれか１項に係る方法。
【請求項７】
前記薬剤の走査の前に、これら薬剤は、これら薬剤を分散させるための処理を受ける請求項１乃至６のいずれか１項に係る方法。
【請求項８】
振動させることを具備する請求項７に係る方法。
【請求項９】
ブラシをパックに上から当てさせて移動させることを具備する請求項７又は８に係る方法。
【請求項１０】
前記薬剤が位置している搬送体とほぼ平行な平面上の輪のような運動を備えている、前記薬剤に移動させるための係合を上から働かせることを有する請求項７乃至９のいずれか１項に係る方法。
【請求項１１】
前記係合は、前記搬送体と直交する方向に弾性的な係合を含んでいる請求項１０に係る方法。
【請求項１２】
前記輪のような運動は、円運動を有する請求項１０又は１１に係る方法。
【請求項１３】
回転の中心軸が、前記搬送体にほぼ直角である請求項１２に係る方法。
【請求項１４】
物体が、搬送体の平面に分散している間、変位させられる請求項１乃至１３のいずれか１項に係る方法。
【請求項１５】
患者に特有の、連結された複数の薬剤パックのストリングのための装置は、複数のパック（１５）のストリングのための供給部（６）を含み、
患者データが、前記複数のパックのための搬送手段（４）と、前記複数のパックの中の薬剤を走査するためのカメラ（２）と、前記複数のパックのストリングのための排出部（７）と、患者／薬剤データのための入力部（１９）と、に供給され、
前記患者データを走査するための走査手段が存在し、前記患者／薬剤データを前記カメラ走査と比較するための比較装置（３）も存在し、
検査の時点で各々のパックの状態の証拠を提供するために、前記患者走査結果と前記薬剤走査結果とを記憶するために記憶手段（３、５、８）が備えられる装置。
【請求項１６】
前記搬送手段は、互いに近くに設けられた供給部（６）と排出部（７）とを有している循環しているベルトを有する請求項１５に係る装置。
【請求項１７】
前記走査手段は、前記カメラ（２）と、この走査結果を鏡像で記憶するための手段（１６）とを有する請求項１５又は１６に係る装置。
【請求項１８】
前記カメラは、前記患者データと薬剤の数とを決定するための第１の光源（１６）と、前記薬剤走査から色並びに／もしくは形状を決定するための第２の光源（２４）とを有する請求項１５乃至１７のいずれか１項に係る装置。
【請求項１９】
薬剤のための搬送体（４２）と、この搬送体の上方に配置され複数の物体に係合している分散させる装置（４１）とを有している、互いに隣り合っている／互いに上下に重なっている薬剤を分散させるための手段を具備し、前記分散させる装置は、カム形状の部分（４６）を有し、このカム形状の部分は、何も載せられていない状態で前記搬送体の直上に間隔（ａ）で配置され、このカム形状の部分がこの搬送体の上方でこの搬送体に平行な平面上にある連続的な経路に従うことを可能とするために、このカム形状の部分は、駆動部（５２）に固定されるように設計されている請求項１５乃至１８のいずれか１項に係る装置。
【請求項２０】
前記手段は、互いに隣り合って配置されている２つの分散させる装置を有している請求項１９に係る装置。
【請求項２１】
前記カム形状の部分は、前記搬送体に対して直角の方向に弾性的に変位可能である請求項１９又は２０に係る装置。
【請求項２２】
前記駆動部は、アームが設けられている回転モータ（５２）を有し、このアームは、回転方向に直角で、回転シャフトに接続され、また、このアームには、前記カム形状の部分が配置されている請求項１９乃至２１のいずれか１項に記載の装置。
【請求項２３】
前記駆動部は、回転モータと、この回転モータの回転シャフトに接続されているトランスミッション（５１）と、このトランスミッションにより駆動され、前記搬送体にほぼ直角に延び、前記アーム（４８）に適合されている補助アームを有し、このアーム（４８）には、前記カム形状の部分（４６）が配置されている請求項１９乃至２２のいずれか１項に記載の装置。
【請求項２４】
前記カム形状の部分（４６）がアーム（４８）に配置され、このアームは、第１の回転の中心軸（５３）の周りに回転可能であり、また、このアームは、補助アームに配置され（５４）、この補助アームは、第２の回転の中心軸（５５）の周りに回転可能であり、また、これら第１及び第２の回転の中心軸は、互いに離間され、互いに平行に延びている請求項１９乃至２３のいずれか１項に係る装置。
【請求項２５】
前記アームは、２つのアームであり、これらカム形状の部分を備えた２つのアームは、前記補助アームに配置されている請求項２４に係る装置。
【手続補正２】
【補正対象書類名】明細書
【補正対象項目名】０００２
【補正方法】変更
【補正の内容】
【０００２】
ＷＯ  ０２／２５５６８  Ａ２には、一群の薬剤をカメラの下で走査する方法が開示されている。錠剤の同定のためのセションと処方情報との履歴の記録を含む患者のデータベースを維持するためにプロセッサ／メモリが設けられている。各々の錠剤の同定のためのセションは、錠剤のグループの走査と、サイズ、形状、色、テクスチャー及び記号を含む錠剤を同定する特性を抽出するように錠剤の画像を解析することと、捕捉された画像とデータベース又はライブラリに記憶されている画像とを比較することとを有している。ＵＳ  ６，３３０，３５１は、カメラと、このカメラにより撮られた画像を次々に表示するためのカメラモニタと、あらかじめ記述される画像データをデータベースから呼び出しこのように呼び出したデータを表示するためのグラフィックモニタとを有している薬剤検査装置に関する。各グループの中の薬剤の写真と各グループの中の薬剤に対応している薬剤についての画像データとが同時に所定の時間それぞれのモニタに表示され、薬剤師がこのモニタを目で見てチェックすることにより容易に薬剤を検査することができる。
【手続補正３】
【補正対象書類名】明細書
【補正対象項目名】０００４
【補正方法】変更
【補正の内容】
【０００４】
一般的に、このようなストリングは、大きな薬局などでは、まとめられている。このようなストリングは、各々、例えば、７つの区画からなっており（顧客用単位パック（client unit pack））、この場合には、１つ以上の薬剤が１つの区画に各１日用に又は１日の一部用に入っている。正しい薬剤がパックの中に位置していることは、極めて重要であり、このためのチェックシステムは既知である。これらシステムは、所望の薬剤を中央処理ユニットに供給することからなっている。カメラと視覚技術との補助を得て、実際にパックの中に入っている薬剤の数が走査され、これらに対する一定のデータが、中央処理ユニットに供給される。比較を通して、これらデータが互いに対応しているかどうかが決定され、その後、このストリング又はパックのさらなる取り扱いが、認証されるか、されないかが決定される。
薬剤の検査を教示している他の先行技術文献は、WO  ０１／１５００６  A1（自動化された調剤）、US  ６，６０１，７２９  B1（携帯用薬カートリッジ）、US ２００２／００９９４６７  A1（自動化された包装ライン）がある。